(57)【要約】【課題】燃えた炭の入った七輪本体を簡便に且つ安全に片手で持ち運ぶことができる、七輪を提供する。【解決手段】七輪１０は、加熱開口部１８を有する七輪本体１２を含み、七輪本体１２の外周部の上側には、帯形環状の保持部材２２が設けられる。七輪本体１２の外周部には、カバー部材３０ａ，３０ｂが、支持部３４ａ，３４ｂにより回動自在に配設される。支持部３４ａ，３４ｂは、保持部材２２の略直径方向に対向配置され、保持バンド２４，２６に回動自在に支持されている。カバー部材３０ａ，３０ｂには、七輪本体１２を持ち運ぶ時に、カバー部材３０ａ，３０ｂを引き上げて、カバー部材３０ａ，３０ｂが加熱開口部１８の少なくとも中央上部を遮蔽するように配置させる取っ手部材３６ａ，３６ｂが設けられている。取っ手部材３６ａ，３６ｂは、七輪本体１２を持ち運ばない時には、加熱開口部１８から離れた七輪本体１２の外周部の外側に配置されている。【選択図】図３
2005351571.tif 000002
【特許請求の範囲】
【請求項１】
加熱開口部を有する七輪本体の外周部に配設された支持部により回動自在に支持され、前記加熱開口部の少なくとも中央上部を遮蔽可能にするカバー部材、および
前記カバー部材に配設され、前記七輪本体を持ち運ぶ場合には、前記カバー部材が前記加熱開口部の少なくとも中央上部を遮蔽するように前記カバー部材を引き上げ、前記七輪本体を持ち運ばない場合には、前記加熱開口部から離れた前記七輪本体の外周部の外側に位置する取っ手部材を含むことを特徴とする、七輪。
【請求項２】
前記七輪本体の上側外周部に配設される環状の保持部材をさらに含み、
前記支持部は、前記保持部材の直径方向に対向するように配置され、前記カバー部材を前記保持部材に回動自在に支持する支持軸を含む、請求項１に記載の七輪。
【請求項３】
前記保持部材は、前記保持部材を前記七輪本体の上側外周部に取付けるための取付手段を含み、所望する大きさの前記加熱開口部を備えた七輪本体に応じて、前記取付手段により、適宜、前記保持部材が前記七輪本体に後付け可能とされる、請求項２に記載の七輪。
【発明の詳細な説明】
【技術分野】
【０００１】
本願発明は、七輪に関し、特にたとえば、居酒屋等の飲食店および家庭での調理、あるいは、バーベキュー等戸外での調理などに用いられ、炭火で魚，肉，野菜等の各種食材を加熱して調理するのに用いられる、七輪に関する。
【背景技術】
【０００２】
本願発明の背景となる先行技術には、既存の七輪に後付けして装着することができる構造を有する七輪運搬用補助具および運搬用補助具付き七輪があった（例えば、特許文献１参照。）。
運搬用補助具付き七輪は、環状部材、把手取付部および把手部材を有する七輪運搬用補助具と、七輪本体とで構成される。七輪運搬用補助具は、環状部材を七輪本体の底部からくぐらせて、七輪胴部と上縁部との境界の拡径部まで持ち上げることにより、七輪本体に装着される。この運搬用補助具付き七輪では、運搬の際に、把手部材を把持して七輪本体を持ち上げ、それ以外の際には、把手部材を回動させて下方に倒しておく。
この運搬用補助具付き七輪を運搬するときには、手などが七輪本体に直接触れないため、手などが汚れたりすることがない。
【０００３】
また、本願発明の背景となる先行技術には、火炎開口部の上方外周に膨出した外周膨出部を有する七輪に適用されるコンロ用つかみ手があった（例えば、特許文献２参照。）。
コンロ用つかみ手は、七輪の外周膨出部を下支えする外周支持部材と、外周支持部材の所定箇所に設けられ、外周膨出部を上下方向から嵌合させる嵌合部とを備え、嵌合部には、所定の大きさの穴を有する凹状の固定部が形成され、固定部の穴にはリング状のつかみ手が取付けられている。
このコンロ用つかみ手が取付けられた七輪を持ち運ぶ際には、外周支持部材を介して全体を持ち上げるようにして持ち運ぶことができ、安全かつ安心して持ち運ぶことが可能となる。
【０００４】
【特許文献１】登録実用新案第３０６９３５１号公報（第７頁−第９頁、図１−図３）
【特許文献２】特開２００２−１３０６８０号公報（第１頁，第３頁、図６，図７）
【発明の開示】
【発明が解決しようとする課題】
【０００５】
しかしながら、上述した運搬用補助具付き七輪では、七輪本体を運搬する際に把手部材が七輪本体の開口部の上に位置するため、燃えた炭の入った状態で所謂火気の使用中に七輪本体を持ち運ぶときには、その熱により把手部材が熱くなる。このことは、持ち運びに不具合を来たすものとなり、場合によっては、手を火傷したりする恐れがあった。
一方、上述したコンロ用つかみ手を取付けた七輪では、それを持ち運ぶ際に、リング状のつかみ手が火炎開口部の上に配置されないので、運搬用補助具付き七輪に比べると、火のついたまま七輪を持ち運ぶときでも比較的安全であるが、この場合、七輪を両手で持ち運ばなければならない。すなわち、片手に七輪を持って、且つ、もう一方の手で別の料理や盛り皿，コップ等の物品を持ち運ぶようなことができず、不便なものであった。そのため、例えば、居酒屋等で七輪を使用した場合で、注文を受けて料理等をお客さんのテーブル，座敷等に持って行く時には、七輪を持って行く者と料理や盛り皿，コップ等の物品を持って行く者との少なくとも２名の人員を配置するか、あるいは、１名の人員で２回にわたってお客さんのところへ持って行くかのどちらかの方法をとる必要があり、いずれにしても効率の悪いサービスとなっていた。
【０００６】
それゆえに、本願発明の主たる目的は、燃えた炭の入った七輪本体を簡便に且つ安全に片手で持ち運ぶことができる、七輪を提供することである。
【課題を解決するための手段】
【０００７】
請求項１にかかる本願発明は、加熱開口部を有する七輪本体の外周部に配設された支持部により回動自在に支持され、加熱開口部の少なくとも中央上部を遮蔽可能にするカバー部材と、カバー部材に配設され、七輪本体を持ち運ぶ場合には、カバー部材が加熱開口部の少なくとも中央上部を遮蔽するようにカバー部材を引き上げ、七輪本体を持ち運ばない場合には、加熱開口部から離れた七輪本体の外周部の外側に位置する取っ手部材を含むことを特徴とする、七輪である。
請求項１にかかる本願発明では、七輪本体を持ち運ぶとき、取っ手部材を上方に持ち上げることで、七輪本体の加熱開口部の少なくとも中央上部がカバー部材によって遮蔽される。この場合、片手で取っ手部材を持ち運ぶことが可能となり、しかも、燃えた炭の入った七輪本体の加熱開口部からの熱気は、取っ手部材を把持した手と加熱開口部との間に配置されたカバー部材により遮断される。そのため、請求項１にかかる七輪によれば、持ち運びに不具合を来たすことがなく、取っ手部材を把持する手を火傷したりする恐れもない。
請求項２にかかる本願発明は、請求項１にかかる発明に従属する発明であって、七輪本体の上側外周部に配設される環状の保持部材をさらに含み、支持部は、保持部材の直径方向に対向するように配置され、カバー部材を保持部材に回動自在に支持する支持軸を含む、七輪である。
請求項２にかかる本願発明では、支持軸が保持部材の直径方向に対向して配置されるので、カバー部材は保持部材にバランスよく安定して支持される。この場合、カバー部材は、保持部材を介して七輪本体に回動自在に保持される。そのため、カバー部材は、より一層、安定して七輪本体にしっかりと配置されるものとなる。
請求項３にかかる本願発明は、請求項２にかかる発明に従属する発明であって、保持部材は、保持部材を七輪本体の上側外周部に取付けるための取付手段を含み、所望する大きさの加熱開口部を備えた七輪本体に応じて、取付手段により、適宜、保持部材が七輪本体に後付け可能とされる、七輪である。
請求項３にかかる本願発明では、保持部材が取付手段によって七輪本体の上側外周部に後付けすることが可能となるので、既存の七輪に適宜装着させることが可能となる。この場合、加熱開口部の径の大きさに応じた保持部材を所望する七輪本体に装着してやればよい。
【発明の効果】
【０００８】
本願発明にかかる七輪によれば、燃えた炭の入った七輪本体を簡便に且つ安全に片手で持ち運ぶことができる、七輪が得られる。
この場合、例えば、居酒屋等の飲食店で該七輪を使用した際、注文を受けて料理等をお客さんのテーブル，座敷等に持って行く時に、片方の手で七輪を持ち、もう片方の手で料理皿や食材の盛り皿、その他の物品等を持って一度にお客さんのところへ持って行くことができるため、飲食業等においては接客サービスの効率がよくなる等、その効果は一層顕著なものとなる。
【０００９】
この発明の上述の目的，その他の目的，特徴および利点は、図面を参照して行う以下の発明を実施するための最良の形態の詳細な説明から一層明らかとなろう。
【発明を実施するための最良の形態】
【００１０】
本願発明にかかる七輪では、燃えた炭の入った七輪本体を簡便に且つ安全に片手で持ち運ぶことができる七輪を提供するという目的を、複雑な構造を採用することなく実現することができた。
【００１１】
図１は、本願発明にかかる実施形態の一例を示す斜視図であり、図２の（Ａ）は図１の正面図であり、（Ｂ）はその平面図であり、（Ｃ）はその左側面図である。図３は、図１，図２の七輪を持ち運ぶときの状態を示す斜視図であり、図４の（Ａ）は、図３の正面図であり、（Ｂ）はその平面図であり、（Ｃ）はその左側面図である。
この七輪１０は、七輪本体１２を含む。七輪本体１２は、たとえば円筒状の本体胴部１４を含み、本体胴部１４の上側外周部には、外方に膨出した膨出部１６が設けられる。膨出部１６は、たとえば図４（Ａ）に示すように、七輪本体１２の軸線方向（この場合、高さ方向）で見て、本体胴部１４と膨出部１６との境界部１５から上にいくにしたがって漸次直径方向の長さが拡張されるように形成されている。本実施形態にかかる七輪１０では、本体胴部１４と膨出部１６とが珪藻土（天然セラミックス）等で一体的に形成されることによって、七輪本体１２は、たとえばラッパ状やすり鉢状の形状に形成されている。
また、七輪本体１２は、その上方に開口する加熱開口部１８を有し、七輪本体１２の本体胴部１４には、空気口２０（風口ないし風穴とも言う。）を備えている。七輪１０内に入れられた木炭を燃焼させたときに木炭から火炎と共に電磁波（この場合、遠赤外線）が発生し、遠赤外線は、加熱開口部１８から四方八方に放射される。そして、七輪本体１２を形成する珪藻土（天然セラミックス）が加熱されることによって、七輪本体１２からも遠赤外線が発生され、より一層、加熱効果が高められる。
【００１２】
さらに、この七輪１０の膨出部１６の上側外周縁部には、たとえば金属製で帯形環状の保持部材２２が配設される。保持部材２２は、図３および図４（Ａ）に示すように、たとえば平面視半円状帯形の２つの保持バンド２４および２６を含む。保持バンド２４および２６は、図２（Ｃ），図３，図４（Ｃ）等に示すように、たとえば断面「コ」字状の２つの連結部２８により連結される。２つの連結部２８は、保持バンド２４の直径方向に対向するように配設されている。保持バンド２４および２６が２つの連結部２８で連結されることによって、保持バンド２４全体は、平面視円形で帯形に形成される。なお、２つの連結部２８は、それぞれ、所定の部位に２つの貫通孔（図示せず）を有するものである。
【００１３】
また、保持バンド部２４および２６には、図４（Ａ），図４（Ｃ）等に示すように、該保持バンド２４および２６の円周方向に間隔を隔てて、それぞれ、複数の係止片２４ａおよび２６ａが配設される。複数の係止片２４ａおよび２６ａは、それぞれ、保持部材２２を膨出部１６の上側外周縁部に取付けるための取付手段としての機能を有するものである。複数の係止片２４ａおよび２６ａは、それぞれ、保持バンド２４および２６の幅方向の一端部に形成され、その先端側が保持バンド２４および２６の内側に向いて傾斜して形成されている。保持部材２２および複数の係止片２４ａ，２６ａは、冷間圧延鋼板（ＳＰＣＣ）等で一体的に形成されている。
保持部材２２は、保持バンド２４，２６の複数の係止片２４ａ，２６ａが、七輪本体１２の膨出部１６の下側外周縁部に嵌めこんで折り曲げることによって、適宜、七輪本体１２の上側外周部（膨出部１６の上部）に取付けられる。
【００１４】
さらに、保持部材２２の保持バンド２４，２６には、それぞれ、たとえば弓形状に湾曲されたカバー部材３０ａ，３０ｂが回動自在に取付けられる。一方のカバー部材３０ａには、その長手方向の一端部および他端部に、それぞれ、たとえばＬ字状の支持ブラケット片３２ａが形成されている。同様に、他方のカバー部材３０ｂには、その長手方向の一端部および他端部に、それぞれ、正面視Ｌ字状で且つ断面Ｌ字状の支持ブラケット片３２ｂが形成されている。なお、支持ブラケット片３２ａ，３２ｂは、その短辺部側に、それぞれ、貫通孔（図示せず）を有するものである。
【００１５】
一方のカバー部材３０ａは、その長手方向の一端部および他端部が、それぞれ、支持部３４ａによって、保持部材２２の連結部２８の横方向（幅方向）の一方側に回動自在に支持されている。同様に、他方のカバー部材３０ｂは、その長手方向の一端部および他端部が、それぞれ、支持部３４ｂによって、保持部材２２の連結部２８の横方向（幅方向）の他方側に回動自在に支持されている。支持部３４ａおよび３４ｂは、それぞれ、リベット，ピン等で形成される支持軸で形成されている。支持部３４ａおよび３４ｂは、それぞれ、保持部材２２の連結部２８および支持ブラケット片３２ａ，３２ｂに設けられた貫通孔（図示せず）に挿入され、保持部材２２の連結部２８にカバー部材３０ａ，３０ｂの支持ブラケット片３２ａ，３２ｂを回動自在に支持している。
すなわち、支持部３４ａ，３４ｂを用いることによって、カバー部材３０ａ，３０ｂの支持ブラケット片３２ａ，３２ｂと、保持部材２２の連結部２８とは、支持部３４ａ，３４ｂの中心軸の周りに互いに揺動ないし回動できる構造（ヒンジ構造）を構成するものである。この場合、支持部３４ａ，３４ｂは、該ヒンジ構造の回転支点となっている。
【００１６】
さらに、カバー部材３０ａおよび３０ｂには、それぞれ、たとえばステンレス製で「コ」字状の取っ手部材３６ａおよび３６ｂが配設される。取っ手部材３６ａおよび３６ｂは、それぞれ、その両端部に、内側に略直角に屈曲された屈曲挿入部３８ａおよび３８ｂを有する。また、カバー部材３０ａおよび３０ｂの上面には、それぞれ、その長手方向の中間部に所定の間隔を隔てて、２つの差込み部４０ａおよび４０ｂが設けられる。差込み部４０ａおよび４０ｂは、それぞれ、カバー部材３０ａおよび３０ｂの上面から隆起したたとえば円錐筒状部で形成されている。そして、カバー部材３０ａの２つの差込み部４０ａには、取っ手部材３６ａの２つの屈曲挿入部３８ａが差し込まれ、同様にして、カバー部材３０ｂの２つの差込み部４０ｂには、取っ手部材３６ｂの２つの屈曲挿入部３８ｂが差し込まれる。すなわち、取っ手部材３６ａおよび３６ｂは、それぞれ、カバー部材３０ａおよび３０ｂに対して、回動自在に取付けられることになる。
なお、カバー部材３０ａ、支持ブラケット片３２ａ，差込み部４０ａ、および、カバー部材３０ｂ、支持ブラケット片３２ｂ，差込み部４０ｂは、それぞれ、冷間圧延鋼板（ＳＰＣＣ）等の金属材料で一体的に形成されている。
【００１７】
本実施形態にかかる七輪１０では、七輪本体１２を持ち運ぶときに、取っ手部材３６ａ，３６ｂを持ち上げて２つのカバー部材３０ａ，３０ｂを引き上げることによって、七輪本体１２の加熱開口部１８の中央上部が２つのカバー部材３０ａ，３０ｂで遮蔽される。そのため、燃えた炭の入った七輪本体１２の加熱開口部１８からの熱気は、取っ手部材３６ａ，３６ｂを把持した手と加熱開口部１８との間に配置された２つのカバー部材３０ａ，３０ｂによって遮断することができる。さらに、この七輪１０は、片手で取っ手部材３６ａ，３６ｂを持ち運ぶことができるため、持ち運びが簡便となる。すなわち、この七輪１０によれば、持ち運びに不具合を来たすことがなく、取っ手部材３６ａ，３６ｂを把持する手を火傷したりする恐れもない。
【００１８】
また、七輪１０を持ち運ばない場合には、取っ手部材３６ａ，３６ｂが、たとえば図１および図２（Ａ）に示すように、比較的温度が上がらない位置、つまり、加熱開口部１８から離れた七輪本体１２の外周部の外側に位置するものである。そのため、七輪１０で調理する場合などには、取っ手部材３６ａ，３６ｂが調理の邪魔にならず、取っ手部材３６ａ，３６ｂに対する七輪本体１２の熱の影響も比較的少ないものとなる。
【００１９】
さらに、この七輪１０では、支持部３４ａ，３４ｂが保持部材２２の直径方向に略対向して配置されているので、カバー部材３０ａ，３０ｂを保持部材２２に対してバランスよく安定して支持させることができる。しかも、カバー部材３０ａ，３０ｂは、保持部材２２を介して七輪本体１２に回動自在に保持されるので、カバー部材３０ａ，３０ｂは、より一層、安定して七輪本体１２にしっかりと配置される。
【００２０】
さらに、この七輪１０では、保持部材２２の保持バンド２４，２６が複数の係止片２４ａ，２６ａ等の取付手段によって七輪本体１２の上側外周部に後付けすることができる。そのため、保持部材２２を既存の七輪に適宜装着させることができ、この場合、加熱開口部１８の径の大きさに応じた保持部材２２を所望する七輪の七輪本体に装着することができる。
【００２１】
図５は、本願発明にかかる七輪の実施形態の他の例を示す斜視図であり、図６の（Ａ）は、図５の正面図であり、（Ｂ）はその平面図であり、（Ｃ）はその左側面図である。図７は、図５，図６の七輪を持ち運ぶときの状態を示す斜視図であり、図８の（Ａ）は図７の正面図であり、（Ｂ）はその平面図であり、（Ｃ）はその左側面図である。
図５〜図８に示す実施形態例では、上述した図１〜図４に示した実施形態例と比べて、特に、連結部および支持ブラケット片の構造が相違し、また、支持部の数が相違している。すなわち、図５〜図８に示す実施形態例では、連結部４２が半円状の突出片４３を含み、支持ブラケット片４４ａ，４４ｂの短辺部４５ａ，４５ｂの幅が幅広に形成されている。また、単一の支持部４６によって、２つのカバー部材３０ａ，３０ｂが保持部材２２の連結部４２に回動自在に支持されている。
【００２２】
図９は、本願発明にかかる七輪の実施形態のさらに他の例を示す斜視図であり、図１０の（Ａ）は、図９の正面図であり、（Ｂ）はその平面図であり、（Ｃ）はその左側面図である。図１１は、図９，図１０の七輪を持ち運ぶときの状態を示す斜視図であり、図１２の（Ａ）は図１１の正面図であり、（Ｂ）はその平面図であり、（Ｃ）はその左側面図である。
図９〜図１２示す実施形態例では、図１〜図４に示した実施形態例と比べて、特に、カバー部材３０ａ，３０ｂに配設された差込み部の構造が相違し、また、取っ手部材の構造も相違している。さらに、保持部材２２の保持バンド２４および２６の構造が相違している。すなわち、図９〜図１２示す実施形態例では、カバー部材３０ａ，３０ｂの差込み部４８ａ，４８ｂが、カバー部材３０ａおよび３０ｂの上面から隆起したたとえば偏平矩形筒状部で形成されている。この場合、差込み部４８ａ，４８ｂは、その長手方向に延びる開口部４９ａ，４９ｂを有するため、差込み部４８ａ，４８ｂに差し込まれた取っ手部材５０ａ，５０ｂの屈曲挿入部５１ａ，５１ｂは、開口部４９ａ，４９ｂの長手方向に沿って変位可能となる。
また、取っ手部材５０ａ，５０ｂは、その短辺部の長さ方向の中間部に折り曲げ部５２ａ，５２ｂを有し、その長辺部の長さ方向の中間部にたとえば半円状の摘み片５４ａ，５４ｂを有するものである。さらに、保持バンド２４および２６の上端部には、その周方向に間隔を隔てて所定の長さを有する凹み部５６ａおよび５６ｂが配設されている。この凹み部５６ａおよび５６ｂには、たとえば図９，図１０に示すように、それぞれ、取っ手部材５０ａ，５０ｂの長辺部を引っ掛けて載置させておくことが可能となる。
【００２３】
さらに、図９〜図１２示す実施形態例では、取っ手部材５０ａ，５０ｂをカバー部材３０ａ，３０ｂの下側に下ろしたとき、図１３に示すように、取っ手部材５０ａ，５０ｂが七輪本体１２の底部よりも下側に位置する。そのため、七輪１０をテーブル（図示せず）の上面等の載置面に置いた場合、取っ手部材５０ａ，５０ｂの摘み片５４ａ，５４ｂ側が横にずれることがあるけれども、反面、取っ手部材５０ａ，５０ｂと載置面との接触面積が多くなるので、たとえば載置面の材質が熱伝導率の低いものであれば、取っ手部材５０ａ，５０ｂの冷却効果が期待できるものとなる。
【００２４】
図１４は、図９，図１０の七輪の実施形態に適用され得る取っ手部材の取付構造の他の例を示す正面図である。図１４示す実施形態例では、図９〜図１２に示した実施形態例と比べて、特に、カバー部材３０ａ，３０ｂに配設された差込み部４８ａ，４８ｂおよびその開口部４９ａ，４９ｂの長手方向の長さが、たとえば略半分程度の長さに設定されている。そのため、取っ手部材５０ａ，５０ｂをカバー部材３０ａ，３０ｂの下側に下ろした場合でも、取っ手部材５０ａ，５０ｂの摘み片５４ａ，５４ｂ側が載置面に当接することがない。
【００２５】
図１５は、本願発明にかかる七輪の実施形態の別の例を示す斜視図であり、図１６の（Ａ）は、図１５の正面図であり、（Ｂ）はその平面図であり、（Ｃ）はその左側面図である。図１７は、図１５，図１６の七輪を持ち運ぶときの状態を示す斜視図であり、図１８の（Ａ）は、図１７の正面図であり、（Ｂ）はその平面図であり、（Ｃ）はその左側面図である。
図１５〜図１８に示す実施形態例では、特に、図５〜図８に示した実施形態例と比べて、カバー部材の数が相違し、連結部および支持ブラケット片の形状が相違している。すなわち、図１５〜図１８に示す実施形態例では、単一のカバー部材３０ａが、１つの支持部４６によって、保持部材２２の２つの連結部６０に回動自在に支持されている。この場合、カバー部材３０ａの長手方向の両端の２つの支持ブラケット片５８ａは、それぞれ、正面視矩形で且つ断面Ｌ字状に形成されている。また、保持部材２２の２つの連結部６０は、たとえば図１〜図４の連結部２８と同様に、それぞれ、「コ」字状に形成されている。図１５〜図１８に示す実施形態例では、支持部４６、カバー部材３０ａが単一となっているため、それらの部材が２つのものと比べて、部品点数が少なくなり、それに伴う製造コストも低減化することができる。
【産業上の利用可能性】
【００２６】
本願発明にかかる七輪は、特に、居酒屋，料亭，レストラン，食堂等の飲食店業において、炭火で食材を焼いたり煮たりする料理を提供するサービスに用いて好適なものである。
【図面の簡単な説明】
【００２７】
【図１】本願発明にかかる七輪の実施形態の一例を示す斜視図である。
【図２】（Ａ）は図１の正面図であり、（Ｂ）はその平面図であり、（Ｃ）はその左側面図である。
【図３】図１，図２の七輪を持ち運ぶときの状態を示す斜視図である。
【図４】（Ａ）は図３の正面図であり、（Ｂ）はその平面図であり、（Ｃ）はその左側面図である。
【図５】本願発明にかかる七輪の実施形態の他の例を示す斜視図である。
【図６】（Ａ）は図５の正面図であり、（Ｂ）はその平面図であり、（Ｃ）はその左側面図である。
【図７】図５，図６の七輪を持ち運ぶときの状態を示す斜視図である。
【図８】（Ａ）は図７の正面図であり、（Ｂ）はその平面図であり、（Ｃ）はその左側面図である。
【図９】本願発明にかかる七輪の実施形態のさらに他の例を示す斜視図である。
【図１０】（Ａ）は図９の正面図であり、（Ｂ）はその平面図であり、（Ｃ）はその左側面図である。
【図１１】図９，図１０の七輪を持ち運ぶときの状態を示す斜視図である。
【図１２】（Ａ）は図１１の正面図であり、（Ｂ）はその平面図であり、（Ｃ）はその左側面図である。
【図１３】図９，図１０の七輪の取っ手部材をカバー部材の下に下ろした状態を示す正面図である。
【図１４】図９，図１０の七輪の実施形態に適用され得る取っ手部材の取付構造の他の例を示す正面図である。
【図１５】本願発明にかかる七輪の実施形態の別の例を示す斜視図である。
【図１６】（Ａ）は図１５の正面図であり、（Ｂ）はその平面図であり、（Ｃ）はその右側面図である。
【図１７】図１５，図１６の七輪を持ち運ぶときの状態を示す斜視図である。
【図１８】（Ａ）は図１７の正面図であり、（Ｂ）はその平面図であり、（Ｃ）はその左側面図である。
【符号の説明】
【００２８】
１０  七輪
１２  七輪本体
１４  本体胴部
１５  境界部
１６  膨出部
１８  加熱開口部
２０  空気口（風口ないし風穴）
２２  保持部材
２４，２６  保持バンド
２４ａ，２６ａ  係止片
２８，４２，６０  連結部
３０ａ，３０ｂ  カバー部材
３２ａ，３２ｂ  支持ブラケット片
３４ａ，３４ｂ  支持部（ヒンジ構造の回転支点）
３６ａ，３６ｂ，５０ａ，５０ｂ  取っ手部材
３８ａ，３８ｂ，５１ａ，５１ｂ  屈曲挿入部
４０ａ，４０ｂ，４８ａ，４８ｂ  差込み部
４９ａ，４９ｂ  差込み部の開口部
５２ａ，５２ｂ  折り曲げ部
５４ａ，５４ｂ  摘み片
５６ａ，５６ｂ  凹み部
【図１】
2005351571.tif 000003
【図２】
2005351571.tif 000004
【図３】
2005351571.tif 000005
【図４】
2005351571.tif 000006
【図５】
2005351571.tif 000007
【図６】
2005351571.tif 000008
【図７】
2005351571.tif 000009
【図８】
2005351571.tif 000010
【図９】
2005351571.tif 000011
【図１０】
2005351571.tif 000012
【図１１】
2005351571.tif 000013
【図１２】
2005351571.tif 000014
【図１３】
2005351571.tif 000015
【図１４】
2005351571.tif 000016
【図１５】
2005351571.tif 000017
【図１６】
2005351571.tif 000018
【図１７】
2005351571.tif 000019
【図１８】
2005351571.tif 000020